(57)【要約】【課題】優れた防水性を有するとともに、重ね寸法を小さくできるので有効寸法を大きくでき、従って、屋根材の耐久性を飛躍的に向上させるとともに、瓦屋根の大巾な軽量化を達成することができる防水瓦を提供する。【解決手段】上方には釘孔２を有する尻部３を、下方には頭部４を備え、一方の側にはウオーターチャネル上側重合部５を、他方の側には釘孔８を有するウオーターチャネル下側重合部７を備えた瓦において、前記頭部４及び前記ウオーターチャネル上側重合部５の各裏面の内側寄りで、瓦を重合葺設する際に、下部に配される瓦の尻部３の釘孔２、及びウオーターチャネル下側重合部７の釘孔８を塞ぐ位置に、シール材１３を貼着したことを特徴とする防水瓦である。【選択図】図２
2006291612.tif 000002
【特許請求の範囲】
【請求項１】
上方には尻部を、下方には頭部を備え、一方の側には上側重合部を、他方の側には下側重合部を備えた瓦であって、前記頭部及び前記上側重合部の各裏面の内側寄りにシール材を貼着したことを特徴とする防水瓦。
【請求項２】
頭部のシール材が、頭部から１０〜４０ｍｍ内側寄りに設けられている請求項１記載の防水瓦。
【請求項３】
頭部のシール材が、瓦を重合葺設する際に、下部に配される瓦の尻部の釘孔を塞ぐ位置に設けられている請求項１又は２記載の防水瓦。
【請求項４】
上側重合部のシール材が、側端から１０〜４０ｍｍ内側寄りに設けられている請求項〜３のいずれか１項に記載の防水瓦。
【請求項５】
上側重合部のシール材が、瓦を重合葺設する際に、下部に配される瓦の下側重合部のウオーターチャネルを形成する外側隆起部に相当する位置に設けられている請求項１〜４のいずれか１項に記載の防水瓦。
【請求項６】
上側重合部のシール材が、瓦を重合葺設する際に、下部に配される瓦の下側重合部の釘孔を塞ぐ位置に設けられている請求項１〜５のいずれか１項に記載の防水瓦。
【請求項７】
瓦の尻部付近でシール材が接する表面に突条部が設けられている請求項１〜６のいずれか１項に記載の防水瓦。
【請求項８】
瓦の頭部の厚みが５ｍｍ以上である請求項１〜７のいずれか１項に記載の防水瓦。
【請求項９】
上部瓦の頭部と下部瓦の尻部との重ね寸法が５０ｍｍ以下である請求項１〜８のいずれか１項に記載の防水瓦。
【発明の詳細な説明】
【技術分野】
【０００１】
本発明は防水瓦に関し、更に詳しくは、優れた防水性を有するとともに、重ね寸法を小さくできるので有効寸法を大きくでき、従って、瓦屋根の大巾な軽量化を達成することができる防水瓦に関する。
【背景技術】
【０００２】
従来、この種の瓦としては多種多様のもの使用されているが、そのうちの一つとして、例えば、図８の上面斜視図、及び図９の下面斜視図に示すような形状のものが知られている。
これらの図において、瓦３１は上方には釘孔３２を有する尻部３３を、下方には湾曲した頭部３４を備え、一方の側にはウオーターチャネル上側重合部３５、他方の側には３方が隆起部３６ａ、３６ｂ、３６ｃで囲まれたウオーターチャネル下側重合部３７を備え、該隆起部３６ｃには釘孔３８が設けられている。図示した例では、尻部３３の釘孔３２の付近には、水返し用突条３９が設けられるとともに、ウオーターチャネル下側重合部３７の隆起部３６ｂの付近にも水返し用突条４０が設けられている。図中、４１は桟木等への引掛部、４２は空気抜きである。
【０００３】
上記のような構造からなる瓦３１は、図１０に示すように、野地板等の屋根材４３の上にアスファルトルーフィング、ゴムアスルーフィング等の下葺き材４４を敷設し、この上に、上部瓦３１Ａの頭部３４と下部瓦３１Ｂの尻部３３とを、一般に約６０〜７０ｍｍの重ね寸法Ｗ（瓦の寸法：約２００〜３６０ｍｍに対して）で重合し、釘孔３２、３８に釘４５を挿入して固定することにより葺設され、この重合部分によって漏水を防止している。
尚、図１０では、桟木を使用せずに上下瓦３１Ａ、３１Ｂを釘４５のみで固定した例を示している。また、ウオーターチャネル下側重合部３７の釘孔３８に釘を挿入して固定するが、この部分部分は省略されている。
【０００４】
しかしながら、このように大きな重ね寸法を取ることは、瓦の有効寸法を小さくするため、単位面積当りの瓦の数が増加し、その結果、瓦屋根の重量を大きくし、耐震性を低下させる要因となっている。
また、上記のように重ね寸法を大きくしても、例えば、台風時のように風速が約２５ｍ／ｓ以上ともなると、上部瓦３１Ａと下部瓦３１Ｂとの隙間Ｓから風雨が吹き込み、風圧により雨水が下部瓦３１Ｂの尻部３３をオーバーし、多量の水が下葺き材４４上に流れ込み、室内への雨漏りを惹き起こす。尚、図示するように、尻部３３付近に水返し突条３９が突設されている瓦の場合であっても、風速が一定以上となると、同様の現象を惹き起こす。
【０００５】
この現象は、瓦下にはアスファルトルーフィングやゴムアスルーフィング等の下葺き材４４が一般的に敷設されているが、瓦固定のための多数の釘孔３２、３８の存在や、下葺き材４４の劣化等により漏水するものと考えられる。
【０００６】
このため、従来は、瓦下に土を用い、この上に漏水した雨水を吸収させていたが、土は屋根重量を重くし、耐震性が低下することから、近年、土の使用は非常に少なくなっている。
そこで、対策として、下葺き材を二重に敷設したり、肉厚の下葺き材等を使用しているが、多数の釘孔や下葺き材の劣化を考えると万全とは云い難い。
【０００７】
近年、重ね寸法を大きく取ることによる雨漏りを解決するために、裏面側へ緩やかに湾曲する谷部の一側部に桟山部を連続形成すると共に、頭側に垂れを形成し、谷部の尻側及び差込み側に沿う水返しを形成すると共に、該水返しにおける尻側部位を谷部の中央側へ序々に高くする様に形成し、谷部の裏面に、水返しにおける尻側部位を収容するための逃がし凹部を形成し、谷部の尻側上面に幅方向に長い水返し突条を形成し、逃がし凹部の外周部位における頭側部位及び尻側部位に沿う様に水返し突条を設けたことを特徴とする桟瓦が提案されている（例えば、特許文献１参照）。
【０００８】
しかしながら、上記桟瓦は上下の桟瓦の隙間から吹き込んできた風雨を水返し突条等に衝突、蛇行せしめて勢いを減じせしめ、含水水分を付着、除去するため、構造が極めて複雑となり、いきおいコストアップとならざるを得ず、また、その漏水防止効果も十分とは云い難い。
【特許文献１】特開２００４−２９３２２８号公報
【発明の開示】
【発明が解決しようとする課題】
【０００９】
本発明はかかる実情に鑑み、上記従来技術の問題点を解消するもので、優れた防水性（漏水防止性）を有し、屋根材の耐久性を大巾に向上させるとともに、重ね寸法を小さくできるので有効寸法を大きくでき、従って、瓦屋根の大巾な軽量化を達成することが可能な防水瓦を提供することを目的とする。
【課題を解決するための手段】
【００１０】
本発明は上記目的を達成するためになされたもので、本発明の請求項１は、上方には尻部を、下方には頭部を備え、一方の側には上側重合部を、他方の側には下側重合部を備えた瓦であって、前記頭部及び前記上側重合部の各裏面の内側寄りにシール材を貼着したことを特徴とする防水瓦を内容とする。
【００１１】
本発明の請求項２は、頭部のシール材が、頭部から１０〜４０ｍｍ内側寄りに設けられている請求項１記載の防水瓦を内容とする。
【００１２】
本発明の請求項３は、頭部のシール材が、瓦を重合葺設する際に、下部に配される瓦の尻部の釘孔を塞ぐ位置に設けられている請求項１又は２記載の防水瓦を内容とする。
【００１３】
本発明の請求項４は、上側重合部のシール材が、側端から１０〜４０ｍｍ内側寄りに設けられている請求項〜３のいずれか１項に記載の防水瓦を内容とする。
【００１４】
本発明の請求項５は、上側重合部のシール材が、瓦を重合葺設する際に、下部に配される瓦の下側重合部のウオーターチャネルを形成する外側隆起部に相当する位置に設けられている請求項１〜４のいずれか１項に記載の防水瓦を内容とする。
【００１５】
本発明の請求項６は、上側重合部のシール材が、瓦を重合葺設する際に、下部に配される瓦の下側重合部の釘孔を塞ぐ位置に設けられている請求項１〜５のいずれか１項に記載の防水瓦を内容とする。
【００１６】
本発明の請求項７は、瓦の尻部付近でシール材が接する表面に突条部が設けられている請求項１〜６のいずれか１項に記載の防水瓦を内容とする。
【００１７】
本発明の請求項８は、瓦の頭部の厚みが５ｍｍ以上である請求項１〜７のいずれか１項に記載の防水瓦を内容とする。
【００１８】
本発明の請求項９は、上部瓦の頭部と下部瓦の尻部との重ね寸法が５０ｍｍ以下である請求項１〜８のいずれか１項に記載の防水瓦を内容とする。
【発明の効果】
【００１９】
本発明の防水瓦は、上方には尻部を、下方には頭部を備え、一方の側には上側重合部を、他方の側には下側重合部を備えた瓦であって、前記頭部及び前記上側重合部の各裏面の内側寄りにシール材を貼着したことを特徴とする防水瓦を内容とするもので、かかる構造とすることにより、瓦を重合して葺設した際に、上下、左右の瓦の隙間から吹き込んできた風雨はシール材で阻止され、室内への漏水が防止される。
【００２０】
また、頭部のシール材を、瓦の頭部から１０〜４０ｍｍ内側寄りに設けることにより、この空間部が恰も風圧を減圧緩和するための空間として機能し、上下瓦の隙間から吹き込んできた風雨の圧力が該空間で減じられ、風雨の侵入及び漏水を効果的に阻止することができる。
【００２１】
また、上側重合部のシール材を、瓦の側端から１０〜４０ｍｍ内側寄りに設けることにより、左右瓦の隙間からの風雨の侵入及び漏水を効果的に阻止することができる。
【００２２】
また、上側重合部のシール材を、瓦を重合葺設する際に、下部に配される瓦の下側重合部のウオーターチャネルを形成する外側隆起部に相当する位置に設ることにより、上側重合部と下側重合部との隙間からの風雨の吹き込みを効果的に阻止することができる。
【００２３】
また、頭部のシール材を、瓦を重合葺設する際に、下部に配される瓦の尻部の釘孔を塞ぐ位置に設け、上側重合部のシール材を、瓦を重合葺設する際に、下部に配される瓦の下側重合部の釘孔を塞ぐ位置に設けることにより、万一、風雨が侵入しても、釘孔はシール材で塞がれているため、釘孔から漏水することはない。
【００２４】
また、瓦の尻部付近でシール材が接する表面に突条部が設けるのが好ましい。この突条部は水返しとして機能するとともに、上部瓦の頭部付近裏面との間でシール材を挟圧密着して、風雨の侵入を一層確実に阻止することができる。
【００２５】
また、瓦の頭部の厚みを５ｍｍ以上とすると、風雨の侵入を阻止し易くなるので好ましい。
【００２６】
更に、また、重ね寸法を５０ｍｍ以下とするのが好ましい。重ね寸法は小さくする程瓦の有効寸法が大きくなり、単位面積当たりの瓦の数を小さくすることができ、その結果、瓦屋根の重量が軽くなり耐震性が向上する。
【発明を実施するための最良の形態】
【００２７】
本発明は、上方には尻部を、下方には頭部を備え、一方の側には上側重合部を、他方の側には下側重合部を備えた瓦であって、前記頭部及び前記上側重合部の各裏面の内側寄りにシール材を貼着したことを特徴とする防水瓦を内容とする。
【００２８】
本発明に用いられる瓦の素材は特に制限されず、粘土瓦、陶器瓦、プレスセメント瓦、コンクリート瓦、金属製瓦等が例示される。
【００２９】
本発明に用いられる瓦は、頭部及び上側重合部の各裏面の内側寄りにシール材が設けられる。
このようなシール材としては、ＥＰＤＭシーラー、軟質ウレタンフォーム、ポリエチレンフォーム等が好ましい。サイズは瓦を重合した際に、下部瓦との重合部の隙間及び側部のウオーターチャネルの重合部の隙間にシール材が密着閉塞し、風雨の侵入が阻止されるように、また、釘孔が設けられている場合は、釘孔を塞いで雨水の侵入が阻止されるように決定される。従って、シール材のサイズは瓦の形状やサイズにより一概には規定できないが、通常、厚さ約３〜２５ｍｍ程度×幅約１０〜２５ｍｍ程度のものから選ぶのが好ましい。
シール材は、粘着テープ、接着剤等により貼着するのが好ましく、このような接着剤としては、アクリル接着剤、ブチルゴム接着剤等が好適に用いられる。
【００３０】
頭部の裏面内側寄りに設けるシール材は、好ましくは、瓦の頭部から１０〜４０ｍｍ程度、より好ましくは、瓦の頭部から２０〜３５ｍｍ程度、内側寄りに設けられる。１０ｍｍ未満では十分な風圧緩和効果が得られ難く、一方、１０ｍｍを越えても該効果は余り変わらず、却って重ね寸法の増大を招くので好ましくない。この部分には、通常、釘孔が設けられているので、シール材は釘孔を塞ぐように設けられる。
【００３１】
上側重合部の裏面内側寄りに設けるシール材は、好ましくは、瓦の側端から１０〜４０ｍｍ程度、より好ましくは、瓦の側端から１５〜３５ｍｍ程度、内側寄りに設けられる。１０ｍｍ未満では重合による漏水防止効果が十分でなく、一方、４０ｍｍを越えても該効果は余り変わらず、却って重ね寸法の増大を招くので好ましくない。この部分には、通常、釘孔が設けられているので、シール材は釘孔を塞ぐように設けられる。
【００３２】
上側重合部、下側重合部が、それぞれウオーターチャネル上側重合部、ウオーターチャネル下側重合部からなる場合は、シール材は、ウオーターチャネル上側重合部の裏面内側寄りに設けられ、重合される瓦のウオーターチャネル下側重合部のウオーターチャネルを形成する外側隆起部に対応する位置に設けられる。この部分には、通常、釘孔が設けられているので、シール材は釘孔を塞ぐように設けられる。ウオーターチャネルの尻部付近の水返し突条付近にも釘孔がある場合にはシール材を設けるのが好ましいが、釘孔がない場合でも、シール材を設けることにより、ウオーターチャネル内への風雨の侵入を阻止することができる。漏水防止の観点からは、ウオーターチャネル内であっても、雨水の侵入は少ない方が望ましいからである。
【００３３】
本発明に用いられる瓦は、尻部付近でシール材が接する表面に、突条部が設けられていることが好ましい。この突条部は水返しとして機能すると同時に、シール材を強圧し、気密性を高めて風雨の侵入を阻止し易くする役割を果たす。
【００３４】
また、瓦の頭部の厚みは５ｍｍ以上とするのが好ましい。この厚みが５ｍｍ未満では風雨が侵入し易くなる傾向がある。上限は特に制限されないが、余り厚みが大きくなると重量が大きくなるので通常１０ｍｍ程度が好ましい。例えば、頭部の厚みが４ｍｍでは風速２５ｍ／ｓで漏水が発生し、同じく７ｍｍでは風速３５ｍ／ｓで漏水が発生する。
【００３５】
更に、上部瓦の頭部と下部瓦の尻部との重ね寸法は、５０ｍｍ以下であるのが好ましく、４０ｍｍ以下であるのがより好ましい。重ね寸法が５０ｍｍを越えると瓦の有効寸法が小さくなり、単位面積当りの重量が大きくなり耐震性が低下する傾向がある。重ね寸法の下限は特に制限されないが、防水性の観点からは３０ｍｍ程度が好ましい。
例えば、有効寸法を２８０ｍｍとした場合、重ね寸法を７０ｍｍで瓦の寸法は３５０ｍｍとする必要があるのに対して、例えば重ね寸法が５０ｍｍでは瓦の寸法は３３０ｍｍでよく、重ね寸法が４０ｍｍでは瓦の寸法は３２０ｍｍでよく、それぞれ約６％、約９％瓦の重量が軽量化される。
【実施例】
【００３６】
以下、本発明を実施例を挙げて更に詳細に説明するが、本発明はかかる実施例のみに限定されるものではない。
【００３７】
実施例１
図１は防水瓦の上面図、図２は同下面図、図３は図２のＸ−Ｘ断面図、図４は瓦を縦方向に重合した状態を示す断面図、図５は横方向に重合した状態を示す断面図、図６は瓦を縦方向、横方向に重合葺設した状態を示す上面図である。尚、瓦の基本的構成は図８〜図１０で示したものと同じである。
【００３８】
即ち、図１〜図３において、防水瓦１は上方には釘孔２を有する尻部３を、下方には湾曲した頭部４を備え、一方の側にはウオーターチャネル上側重合部５、他方の側には３方が隆起部６ａ、６ｂ、６ｃで囲まれたウオーターチャネル下側重合部７を備え、該隆起部６ｃには釘孔８が設けられている。図示した例では、尻部３の釘孔２の付近には、突条部９が設けられるとともに、ウオーターチャネル下側重合部７の隆起部６ｂの付近にも水返し用突条１０が設けられている。図中、１１は桟木等への引掛部、１２は空気抜きである。
【００３９】
本実施例では、図２に示すように、防水瓦１の頭部４の裏面の内側寄りで、重合葺設の際、下部に配される防水瓦の尻部３の釘孔２を塞ぐ位置にシール材１３（ＥＰＤＭシーラー）が貼着されるとともに、ウオーターチャネル上側重合部５の内側寄りに、即ち、重合される他の防水瓦のウオーターチャネル下側重合部７の外側の隆起部６ｃ及びその釘孔８を塞ぐ位置にシール材１４（ＥＰＤＭシーラー）が貼着されている。
尚、本実施例では、更に、重合される他の防水瓦のウオーターチャネル下側重合部７の隆起部６ｂに相当する位置にもシール材１５（ＥＰＤＭシーラー）が貼着されている。この部分は、水返し突条１０により風雨の吹き込みは阻止されるが、このシール材１５により、風雨の吹き込みは一層確実に阻止される。尚、頭部４の厚みＨは５ｍｍ、頭部３の内側からシール材１３の外側までの距離Ｌは３５ｍｍとした。
【００４０】
上記の如く、シール材１３、１４、１５が貼着された防水瓦１（有効寸法２８０ｍｍ）は、図４に示すように、屋根材１７の上に下葺き材１８を敷設し、この上に上部瓦１Ａの頭部４と下部瓦１Ｂの尻部３とを重ね寸法Ｗ（５０ｍｍ）で重合し釘１６により固定して葺設されている。
【００４１】
本実施例にあっては、防水瓦１の頭部４の厚みを５ｍｍとしたので、通常、外部からの風雨の侵入は阻止されるが、万一、上部瓦１Ａの頭部４と下部瓦１Ｂの尻部３との隙間Ｓ１から雨風が侵入したとしても、空間Ｌで風圧が緩和減圧され、風雨は上部瓦１Ａと下部瓦１Ｂとの間のシール材１３により侵入を完全に阻止される。また、釘１６の釘孔２もシール材１３で完全に塞がれているので、釘孔２から漏水する虞もない。
【００４２】
また、図５に示すように、防水瓦１Ｃのウオーターチャネル下側重合部７と防水瓦１Ｄのウオーターチャネル上側重合部５との隙間Ｓ２から風雨が吹き込もうとしてもシール材１４により阻止され、また、釘１９の釘孔８もシール材１４で完全に塞がれているので、釘孔８から漏水する虞もない。
更に、図示しないが、上記したように、水返し突条１０を乗り越えて吹き込もうとする風雨は、シール材１５により阻止される。万一、雨水が侵入したとしても、釘孔２、８はいずれもシール材１３、１４により塞がれているので釘孔２、８を通じて下葺き材１８まで漏出することはない。
【００４３】
以上、本発明の防水瓦によれば、図６で示すように、上部瓦１Ａの頭部４と下部瓦１Ｂの尻部３との隙間Ｓ１から雨風の侵入（矢印ａ）は、シール材１３で阻止され（図４）、また、防水瓦１Ｃのウオーターチャネル下側重合部７と防水瓦１Ｄのウオーターチャネル上側重合部５との隙間Ｓ２から風雨の侵入（矢印ｂ）は、シール材１４で阻止されるので（図５）、屋根材の耐久性は飛躍的に向上する。
【００４４】
実施例２
本実施例の防水瓦１は、図７に示すように、シール材１５を省略した他は実施例１の防水瓦と同じ構成である。
この場合は、万一、水返し突条１０を乗り越えた風雨が侵入する場合は阻止できないが、侵入した雨水はウオーターチャネル７により下方に流下するので実際には漏水が問題となることは殆どない。
【００４５】
実施例３
重ね寸法Ｗを５０ｍｍから４０ｍｍに変更した他は実施例１と同様にして防水瓦屋根を構築した。
重ね寸法を小さくしても防水性能は実施例１と略同等であり、瓦屋根の重量が実施例１の場合に比べて約３％軽量化された。
【００４６】
以上、ウオーターチャネルを有する平板状の瓦について実施例を示したが、波形状（小波、大波）、Ｓ形状、Ｕ形状等の他の形状の瓦にも好適に適用され、また、ウオーターチャネルを有しない瓦についても好適に適用される。例えば、縦方向（上下側）の重合は、形状は異なるものの、同様の重合部を備えており、また、ウオーターチャネルについては、斜め立上り部分で重合するもの、溝（チャネル）を設けずに単に重ね合わせるだけのもの等もあるが、上記実施例で示したのと略同様の位置にシール材を貼着することにより、瓦の上下、左右の重合面からの風雨の侵入が阻止され、優れた防水瓦を提供することができる。
【産業上の利用可能性】
【００４７】
叙上のとおり、本発明の防水瓦によれば、優れた防水性を有するため、屋根材の耐久性が大巾に向上する。また、本発明の防水瓦によれば、重ね寸法を小さくできるので、瓦屋根の軽量化が達成され耐震性に優れた瓦屋根を構築することができる。
【図面の簡単な説明】
【００４８】
【図１】本発明の防水瓦の一例を示す上面図である。
【図２】図１の下面図である。
【図３】図２のＸ−Ｘ断面図である。
【図４】本発明の防水瓦を重合葺設した状態を示す縦方向の概略断面図である。
【図５】本発明の防水瓦を重合葺設した状態を示す横方向の概略断面図である。
【図６】本発明の防水瓦を縦方向、横方向に重合葺設した状態を示す上面図である。
【図７】本発明の防水瓦の他の例を示す下面図である。
【図８】従来の瓦の一例を示す上面斜視図である。
【図９】図８の下面斜視図である。
【図１０】従来の瓦の重合葺設した状態を示す概略断面図である。
【符号の説明】
【００４９】
１  防水瓦
３１  瓦
２、３２  釘孔
３、３３  尻部
４、３４  頭部
５、３５  ウオーターチャネル上側重合部
６ａ、６ｂ、６ｃ、３６ａ、３６ｂ、３６ｃ  隆起部
７、３７  ウオーターチャネル下側重合部
８、３８  釘孔
９  突条部
３９  水返し突条
１０、４０  水返し用突条
１１、４１  引掛部
１２、４２  空気抜き
１３  シール材
１４  シール材
１５  シール材
１６、４５  釘
１７、４３  屋根材
１８、４４  下葺き材
１９  釘
１Ａ、３１Ａ  上部瓦
１Ｂ、３１Ｂ  下部瓦
１Ｃ  重合される一の瓦
１Ｄ  重合される他の瓦
【図１】
2006291612.tif 000003
【図２】
2006291612.tif 000004
【図３】
2006291612.tif 000005
【図４】
2006291612.tif 000006
【図５】
2006291612.tif 000007
【図６】
2006291612.tif 000008
【図７】
2006291612.tif 000009
【図８】
2006291612.tif 000010
【図９】
2006291612.tif 000011
【図１０】
2006291612.tif 000012